(57)【要約】【課題】番組内容識別データ（パレンタルレベル）による録画内容の制御。【解決手段】録画予約手段１５により、録画予約開始する時、録画予約番組のパレンタルレベル（ＰＬ）をＰＬ検出手段１１にて検出し、ＰＬ登録手段１３に登録されているＰＬとＰＬ比較手段１２にて比較し、録画予約番組のＰＬが登録ＰＬより低い場合は録画予約番組を記録する。録画予約番組のＰＬが登録ＰＬ以上の場合で、留守録をしている場合は、番組内容概要を示すパレンタルロック中の明示画面を予約時間内記録する。本録画再生装置１００にてＴＶ番組を視聴している場合に、視聴番組のＰＬが登録ＰＬ以上となった場合、視聴番組の録画を開始し、ＰＷ（パスワード）登録手段１１に登録されたＰＷと同じパスワードを入力すれば、録画を開始した先頭から再生する。パスワードが入力されない場合は、録画された番組の再生を禁止し、視聴番組のＰＬの変化後に消去する。【選択図】図１
2008042811.tif 000002
【特許請求の範囲】
【請求項１】
テレビ番組の内容に応じて視聴／録画制限レベル（以下パレンタルレベルと呼ぶ）を示す番組内容識別データが付加されたテレビジョン（ＴＶ）信号を受信し、複調ＴＶ信号を得る信号処理手段と、前記信号処理手段から得られるＴＶ信号をオーディオ・ビデオ（ＡＶ）信号として記録する録画手段と、所定の番組内容識別データのパレンタルレベル（ＰＬ）を登録するパレンタルレベル登録手段と、番組内容識別データのパレンタルレベルが前記パレンタルレベル登録手段にて登録されたパレンタルレベル以上であるか否かを判別するパレンタルレベル判別手段と、視聴したい番組の録画開始時刻と終了時刻をメモリーし、前記時刻に前記録画手段の録画動作の起動および停止を制御する録画予約手段と、録画予約している番組が登録されたパレンタルレベル以上であることを示す明示画面を発生する明示画面発生手段と、前記全ての手段を制御するコントローラとを有し、前記パレンタルレベル判別手段において、予約番組の番組内容識別データのパレンタルレベルが登録されたパレンタルレベル以上であると判別した場合に、前記コントローラは、前記明示画面発生手段の明示画面を録画する制御を行うことを特徴とする録画再生装置。
【請求項２】
前記コントローラは、明示画面を記録中は録画モードとして、最も長時間記録モードで記録するように前記録画手段を制御することを特徴とする、請求項１に記載の録画再生装置。
【請求項３】
前記コントローラは、前記明示画面を記録開始から短時間だけ記録した後、番組が終了する予約終了時刻まで停止して、記録時間を少なくするように前記録画手段を制御することを特徴とする、請求項１に記載の録画再生装置。
【請求項４】
登録されたパレンタルレベル以上の録画番組に対して録画許可するためのパスワード（ＰＷ）を設定し、登録するＰＷ登録手段と、ＰＷ設定及び入力を行うＰＷ画面発生手段と、記録済みのＡＶ信号を再生して再生映像を出力する再生手段をさらに備え、前記信号処理手段より得られるオンエア中の複調ＴＶ信号を表示手段にて視聴中に、又は記録済みのＡＶ信号の再生視聴中に、前記パレンタルレベル判別手段が、前記録画予約手段で録画予約された番組が登録されたパレンタルレベル以上であると判別した場合には、前記コントローラは前記録画予約手段にメモリーされている録画開始時刻に、前記信号処理手段を介して、ＰＷ画面発生手段からのＰＷ入力画面を表示手段に出力し、ＰＷを入力すれば、録画予約番組を前記録画手段にて記録することを特徴とする、請求項１から請求項３のいずれかの請求項に記載の録画再生装置。
【請求項５】
テレビ番組の内容に応じて視聴／録画制限レベル（以下パレンタルレベルと呼ぶ）を示す番組内容識別データが付加されたテレビジョン（ＴＶ）信号を受信し、複調ＴＶ信号を得る信号処理手段と、前記信号処理手段から得られるＴＶ信号をオーディオ・ビデオ（ＡＶ）信号として記録する録画手段と、所定の番組内容識別データのパレンタルレベル（ＰＬ）を登録するパレンタルレベル登録手段と、番組内容識別データのパレンタルレベルが前記パレンタルレベル登録手段にて登録されたパレンタルレベル以上であるか否かを判別するパレンタルレベル判別手段と、登録されたパレンタルレベル以上の録画番組に対して録画許可するためのパスワード（ＰＷ）を設定し、登録するＰＷ登録手段と、ＰＷ設定及び入力を行うＰＷ画面発生手段と、記録済みのＡＶ信号を再生して再生映像を出力する再生手段と、前記信号処理手段の映像とＰＷ画面発生手段の映像を重畳する画面合成手段と、前記全手段を制御するコントローラとを有し、前記信号処理手段より得られるオンエア中の複調ＴＶ信号を表示手段にて視聴中に、前記パレンタルレベル判別手段が視聴中の番組が登録されたパレンタルレベル以上であると判別した場合には、前記信号処理手段を介して、ＰＷ画面発生手段からのＰＷ入力画面を表示手段に出力すると同時に、前記信号処理手段から得られるＴＶ信号をＡＶ信号として録画を開始することを特徴とする録画再生装置。
【請求項６】
前記コントローラは、ＰＷ入力画面を消去した後、録画中のＡＶ信号の先頭から再生を開始するように前記再生手段を制御することを特徴とする、請求項５に記載の録画再生装置。
【請求項７】
前記コントローラは、前記パレンタルレベル判別手段が視聴中の番組が登録されたパレンタルレベル以上であると判別し、かつＰＷが入力されていない状態では、録画中のＡＶ信号の再生を禁止し、パレンタルレベル以下になったと判別した時点で、録画を停止するように、前記再生手段と前記録画手段を制御することを特徴とする、請求項５または請求項６に記載の録画再生装置。
【請求項８】
記録済みのＡＶ信号を消去する消去手段をさらに備え、前記コントローラは、パレンタルレベル以上の視聴中の番組を録画し、その録画内容を再生している場合は再生停止後、その録画内容を再生していない場合は直ちに、記録したＡＶ信号を消去するように、前記再生手段と前記録画手段と前記消去手段を制御することを特徴とする、請求項７に記載の録画再生装置。
【請求項９】
テレビ番組の内容に応じて視聴／録画制限レベル（以下パレンタルレベルと呼ぶ）を示す番組内容識別データが付加されたテレビジョン（ＴＶ）信号を受信し、複調ＴＶ信号を得る信号処理ステップと、前記信号処理ステップから得られるＴＶ信号をオーディオ・ビデオ（ＡＶ）信号として記録する録画ステップと、所定の番組内容識別データのパレンタルレベル（ＰＬ）を登録するパレンタルレベル登録ステップと、番組内容識別データのパレンタルレベルが前記パレンタルレベル登録ステップにて登録されたパレンタルレベル以上であるか否かを判別するパレンタルレベル判別ステップと、登録されたパレンタルレベル以上の録画番組に対して録画許可するためのパスワード（ＰＷ）を設定し、登録するＰＷ登録ステップと、ＰＷ設定及び入力を行うＰＷ画面発生ステップと、記録済みのＡＶ信号を再生して再生映像を出力する再生ステップと、前記信号処理ステップの映像とＰＷ画面発生ステップの映像を重畳する画面合成ステップと、前記全ステップを制御するコントロールステップとを有し、前記信号処理ステップより得られるオンエア中の複調ＴＶ信号を表示ステップにて視聴中に、前記パレンタルレベル判別ステップが視聴中の番組が登録されたパレンタルレベル以上であると判別した場合には、前記信号処理ステップを介して、ＰＷ画面発生ステップからのＰＷ入力画面を表示ステップに出力すると同時に、前記信号処理ステップから得られるＴＶ信号をＡＶ信号として録画を開始することを特徴とする録画再生方法。
【発明の詳細な説明】
【技術分野】
【０００１】
本発明はテレビ番組の内容に応じて視聴／録画制限レベル（パレンタルレベル）を示す番組内容識別データが付加されたテレビジョン（ＴＶ）信号を受信し、番組予約録画を行う場合、前記番組内容識別データのパレンタルレベルにより、録画内容、記録時間等を決定し、番組視聴者に利便性を与える録画再生装置、及び方法に関するものである。
【背景技術】
【０００２】
過激な暴力シーンや、子供の視聴が好ましくないシーンが含まれたＤＶＤソフトを再生視聴する場合に、見せたくない人に対しては視聴が制限できるように、「パレンタルロック」をかけることができるようになっているＤＶＤプレーヤー及びレコーダー（ＨＤＤ付きも含む）（以下ＤＶＤ機器と呼ぶ）が多くなってきている。前記ＤＶＤ機器において、前記ＤＶＤソフトを再生する時には、あらかじめお客様が設定登録した暗証番号を入力することによって、「パレンタルロック」が解除され、そのソフトが視聴できるようになっている。
【０００３】
ＤＶＤソフトの再生信号にはオーディオ、ビデオ信号と共にデータ信号として番組内容の視聴制限レベル（パレンタルレベル）を示すソフト内容識別データが含まれている。前記ＤＶＤ機器において、お客様があらかじめ前記パレンタルレベル及び暗証番号を登録しておくと、ＤＶＤソフトを再生した時、その再生信号に含まれるソフト内容識別データのパレンタルレベルが登録パレンタルレベル以上であることが判別すれば前記「パレンタルロック」によってそのソフトは視聴できない。その時パスワード（ＰＷ）を問われるので、登録ＰＷを知っている人だけがそのＰＷを入力すれば、そのソフトは視聴可能となる。
【０００４】
一方、放送テレビジョン信号にはその番組内容によって、視聴／録画を制限させるための視聴制限レベル（パレンタルレベル）を示す番組内容識別データ信号が付加されている。昨年度から地上波デジタル放送が開始されたので、地上波デジタル、ＢＳデジタル、１１０°ＣＳデジタル、ＢＳアナログ、地上波アナログ等全ての放送が受信複調できるチューナー（全放送対応チューナー）を搭載したＨＤＤ付きＤＶＤレコーダーが発売されてきた。前記全放送対応チューナー付きＤＶＤの使用者は、受像機として、従来の地上波アナログ、ＢＳアナログ放送ＴＶ受信機を使用される場合でも、前記ＤＶＤに搭載されている地上波デジタル、ＢＳデジタル、１１０°ＣＳデジタルチューナーを利用して、デジタル放送を見ることができる。勿論ＤＶＤレコーダーからの再生信号も見ることができる。このような前記全放送対応チューナー付きＤＶＤと従来型のアナログチューナーのＴＶ受像機とを組み合わせた視聴方法は今後、利用されると考えられる。本発明は、前記視聴方法において、予約録画が始まると録画番組が登録パレンタルレベル以上である場合には、視聴者に録画番組がパレンタルロック状態にあることを知らしめる。そして、その番組のロックを解除して録画を行う方式に関するものである。また留守禄の場合にはロックされていることを後で分かるようにする方式に関するものである。
【０００５】
すでに前記番組内容識別データ信号によって録画・再生を制限するビデオデッキがある（例えば、特許文献１参照）。前記ビデオデッキは、あらかじめビデオデッキに登録されたパレンタルレベルに対して、記録しようとする番組が前記登録パレンタルレベル以上の番組である場合、その番組の記録を一時停止するようにする。また逆に設定として、前記登録パレンタルレベル以上の番組のみを記録し、前記登録パレンタルレベル未満の番組の記録を一時停止するようにすることも可能である。そして、記録された番組に対して、再生する場合においても、再生する番組が前記登録パレンタルレベル以上であれば早送り再生をするようにすることができ、また逆に再生する番組が前記登録パレンタルレベル以上であれば、その番組のみ通常再生し、前記登録パレンタルレベル未満の番組は早送りするようにしている。
【特許文献１】特開２０００−１１５６８０号公報
【発明の開示】
【発明が解決しようとする課題】
【０００６】
本発明はＤＶＤ機器において、テレビジョン放送番組の予約録画を行う場合、あらかじめ登録されたパレンタルレベル以上の番組と判定できた場合、ビデオデッキのように単に一時停止（記録停止）するのでは、お客さまは予約録画されていると思っていた番組が記録されていない理由がわからない場合が生じる。それはＤＶＤ機器にお客様がパレンタルレベルを設定していたことを忘れ、予約番組が登録パレンタルレベル以上であることがわからなかった場合に起こる問題である。
【０００７】
また、視聴中にあらかじめ登録されたパレンタルレベル以上の番組と判定できた場合に、視聴を禁止するだけでは、視聴権を持っているお客様が視聴中であってもレベルを変更するまでの間の内容を視聴することができない。
【０００８】
本発明は、かかる問題点を解消すると共に、全放送対応チューナー搭載ＤＶＤレコーダーと従来型ＴＶ受像機との組み合わせで、オンエアＴＶ番組を視聴している場合やＤＶＤソフトの再生を視聴している時、パレンタルレベル設定による予約録画の仕損じや、視聴禁止機能による番組の一部の見逃しも防止する、使いやすい録画再生装置を提供するものである。
【課題を解決するための手段】
【０００９】
本発明はテレビ番組の内容に応じて視聴／録画制限レベル（以下パレンタルレベルと呼ぶ）を示す番組内容識別データが付加されたテレビジョン（ＴＶ）信号を受信し、複調ＴＶ信号を得る信号処理手段と、前記信号処理手段から得られるＴＶ信号をオーディオ・ビデオ（ＡＶ）信号として記録する録画手段と、所定の番組内容識別データのパレンタルレベルを登録するパレンタルレベル登録手段と、番組内容識別データのパレンタルレベルが前記パレンタルレベル登録手段にて登録されたパレンタルレベル以上であるか否かを判別するパレンタルレベル判別手段と、視聴したい番組の録画開始時刻と終了時刻をメモリーし、前記時刻に前記録画手段の録画動作の起動および停止を制御する録画予約手段と、録画予約している番組が登録されたパレンタルレベル以上であることを示す明示画面を発生する明示画面発生手段と、前記全ての手段を制御するコントローラとを有し、前記パレンタルレベル判別手段において、予約番組の番組内容識別データのパレンタルレベルが登録されたパレンタルレベル以上であると判別した場合に、前記コントローラは、前記明示画面発生手段の明示画面を録画するように構成したものである。
【００１０】
また前記前記コントローラは、明示画面を記録中は録画モードとして、最も長時間記録モードで記録するように前記録画手段を制御するように構成したものである。
【００１１】
さらに前記コントローラは、前記明示画面を記録開始から短時間だけ記録した後、番組が終了する予約終了時刻まで停止して、記録時間を少なくするように前記録画手段を制御するように構成したものである。
【００１２】
さらにまた、登録されたパレンタルレベル以上の番組に対して録画許可のパスワード（ＰＷ）を設定し、登録するＰＷ登録手段と、ＰＷ設定及び入力を行うＰＷ画面発生手段、記録済みのＡＶ信号を再生して再生映像を出力する再生手段とを加えて、前記信号処理手段より得られるオンエア中の複調ＴＶ信号を表示手段にて視聴中に、又は記録済みのＡＶ信号の再生視聴中に、前記パレンタルレベル判別手段が、前記録画予約手段で録画予約された番組が登録されたパレンタルレベル以上であると判別した場合には、前記コントローラは、前記録画予約手段にメモリーされている録画開始時刻に、前記信号処理手段を介して、ＰＷ画面発生手段からのＰＷ入力画面を表示手段に出力し、ＰＷ入力画面においてＰＷを入力すれば、録画予約番組を前記録画手段にて記録するようにも構成したものである。
【００１３】
さらにまた、前記信号処理手段より得られるオンエア中の複調ＴＶ信号を表示手段にて視聴中に、前記パレンタルレベル判別手段が視聴中の番組が登録されたパレンタルレベル以上であると判別した場合には、前記信号処理手段を介して、ＰＷ画面発生手段からのＰＷ入力画面を表示手段に出力すると同時に、前記信号処理手段から得られるＴＶ信号をＡＶ信号として録画を開始するようにも構成したものである。
【００１４】
また前記コントローラは、前記ＰＷ入力画面を消去した後、録画中のＡＶ信号の先頭から再生を開始するように前記再生手段を制御するように構成したものである。
【００１５】
さらに前記コントローラは、前記パレンタルレベル判別手段が視聴中の番組が登録されたパレンタルレベル以上であると判別し、かつＰＷが入力されていない状態では、録画中のＡＶ信号の再生を禁止し、パレンタルレベル以下になったと判別した時点で、録画を停止するように構成したものである。
【００１６】
さらに記録済みのＡＶ信号を消去する消去手段を加えて、前記コントローラは、パレンタルレベル以上の視聴中の番組を録画し、その録画内容を再生している場合は再生停止後、その録画内容を再生していない場合は直ちに、記録したＡＶ信号を消去するように、前記再生手段と前記録画手段と前記消去手段を制御するように構成したものである。
【００１７】
本発明は、また、テレビ番組の内容に応じて視聴／録画制限レベルを示す番組内容識別データが付加されたテレビジョン（ＴＶ）信号を受信し、複調ＴＶ信号を得る信号処理ステップと、前記信号処理ステップから得られるＴＶ信号をオーディオ・ビデオ（ＡＶ）信号として記録する録画ステップと、所定の番組内容識別データのパレンタルレベル（ＰＬ）を登録するパレンタルレベル登録ステップと、番組内容識別データのパレンタルレベルが前記パレンタルレベル登録ステップにて登録されたパレンタルレベル以上であるか否かを判別するパレンタルレベル判別ステップと、登録されたパレンタルレベル以上の録画番組に対して録画許可するためのパスワード（ＰＷ）を設定し、登録するＰＷ登録ステップと、ＰＷ設定及び入力を行うＰＷ画面発生ステップと、記録済みのＡＶ信号を再生して再生映像を出力する再生ステップと、前記信号処理ステップの映像とＰＷ画面発生ステップの映像を重畳する画面合成ステップと、前記全ステップを制御するコントロールステップとを有し、前記信号処理ステップより得られるオンエア中の複調ＴＶ信号を表示ステップにて視聴中に、前記パレンタルレベル判別ステップが視聴中の番組が登録されたパレンタルレベル以上であると判別した場合には、前記信号処理ステップを介して、ＰＷ画面発生ステップからのＰＷ入力画面を表示ステップに出力すると同時に、前記信号処理ステップから得られるＴＶ信号をＡＶ信号として録画を開始するように構成したものである。
【発明の効果】
【００１８】
前記したようにＴＶ放送信号には視聴／録画を制限させるための視聴制限レベル（パレンタルレベル）を示す番組内容識別データ信号が含まれている。本発明は、前記パレンタルレベルを登録することによって、それ登録したレベル以上の番組又はＤＶＤソフトの視聴／録画／再生を制限する録画再生装置であるが、録画予約の場合、前記パレンタルレベルの登録レベルによっては録画されない番組がある。この場合、本装置の使用者は、登録したパレンタルレベルをしっかり認識していれば、録画されなかったことは分かるが、そうでない場合は既存の再生手順でなにも再生されないため故障であると思うかもしれない。本発明の効果の第１としては使用者に対するこのような本装置における使用上の誤解を除くことができる。
【００１９】
本発明の効果の第２は本装置を使用して、オンエア中の番組を視聴している場合には、予約時刻になれば、前記したパレンタルロックを解除して、所望の番組の記録ができるようになる。
【００２０】
本発明の効果の第３は本装置を使用して、オンエア中の番組を視聴している場合に、その番組が登録されたパレンタルレベル以上になった場合に、前記したパレンタルロックを解除して、所望の番組の視聴ができるようになる。
【００２１】
本発明の効果の第４は本装置を使用して、オンエア中の番組を視聴している場合に、その番組が登録されたパレンタルレベル以上になった場合に、前記したパレンタルロックを解除して、所望の番組の先頭から再生して視聴ができるようになる。
【発明を実施するための最良の形態】
【００２２】
以下に本発明の実施の形態について、図面を参照しながら説明する。
【００２３】
（実施の形態１）
図１は、本発明の実施の形態１における録画再生装置全体システムのブロック図である。図１において、１００は本発明からなる録画再生装置である。１はアンテナであり、オンエア中のＴＶ電波を受けるものである。２はチューナーであり、多くの放送局から送られてくる電波の内、所望する番組のあるチャネルにチューニングを行うものである。最近は、地上波デジタル、ＢＳデジタル、１１０°ＣＳデジタル、ＢＳアナログ、地上波アナログ等全ての放送が受信できるチューナー（全放送対応チューナー）が多く採用されている。３は信号処理手段であり、チューナー２で選局された所望の番組のＴＶ信号をアナログの場合は複調、デジタルの場合はデコードすることにより、映像信号、音声信号並びに前記番組内容識別データ信号を含むデータ信号に変換される。（デジタルの場合はデジタルストリームのままで出力されるが説明の便宜上、信号処理手段３の出力は映像信号、音声信号並びに前記番組内容識別データ信号を含むデータ信号とする。）
４はＨＤＤレコーダーであり、５はＤＶＤレコーダーであり、前記信号処理手段３の出力である映像信号、音声信号並びに前記番組内容識別データ信号を含むデータ信号を記録し、記録された前記信号を再生することおよび消去することができる装置である。本発明では、ＨＤＤレコーダー４及びＤＶＤレコーダー５を記録手段、再生手段、消去手段を有するとする。本録画再生装置１００のようにＨＤＤレコーダー４を有する場合はＨＤＤレコーダー４で予約録画を行い、残しておきたい番組を録画終了後ＤＶＤレコーダー５によって、ダビングすることが通常よく行われている。もちろん、ＤＶＤレコーダー５によって、放送番組をＤＶＤディスクに直に記録することもできる。またＤＶＤレコーダー５は、市販されている映画などの記録済みＤＶＤメディアを再生することもできる。
【００２４】
６はセレクターであり、前記信号処理手段３の出力（セレクター６のｃ端子に接続）、ＨＤＤレコーダー４の出力（セレクター６のｂ端子に接続）並びにＤＶＤレコーダー５の出力（セレクター６のａ端子に接続）のどれかを選択し、後述する画面合成手段１８を経由して表示手段７に供給するものである。図１に示す接続ではセレクター６のｃ端子に接続されているので、表示手段７は、モニターＴＶなどで、前記信号処理手段３の出力が加えられている。すなわちこの接続の場合はチューナー２で選局された所望の番組を視聴している状態である。現在視聴している番組は、ＨＤＤレコーダー４又はＤＶＤレコーダー５によって、記録することも可能である。
【００２５】
８はコントローラであり、本装置の各ブロックをコントロールするものである。前記ＨＤＤレコーダー４及びＤＶＤレコーダー５の記録／再生の開始終了のコントロール、前記セレクター６その他のコントロールを行う。
【００２６】
９はリモコン受信手段であり、１０はリモコンである。リモコン１０には本装置を操作するための幾つかの釦が設けられている。リモコン受信手段９はリモコン１０の釦を押すことによって発せられる赤外線を受けて、光電変換によって、電気信号に変換し、リモコンからの操作指令信号をコントローラ８に供給するものである。コントローラ８ではこのリモコンからの操作指令信号によって、例えば前記ＨＤＤレコーダー４の記録／再生の開始終了や前記チューナー２の選局等のコントロールを行うわけである。以上が本録画再生装置の視聴／録画／再生の基本的な説明である。本発明は、パレンタルレベルの設定登録をすることによって、登録パレンタルレベル以上の番組を受信した時、視聴／録画／再生の制限と録画内容の制御方法についてのものである。前記番組内容識別データのパレンタルレベルの検出方法について述べる。
【００２７】
まず、前記番組内容識別データのパレンタルレベルについて、少し説明をする。
図２は放送局より送られてくる前記番組内容識別データ信号における視聴／録画制限レベル（パレンタルレベル）についての説明図である。放送局側からは放送番組の内容に応じて、その番組がいかなるパレンタルレベルであるかを示す番組内容識別データがＨｅｘ  Ｃｏｄｅ（１６段階）で送信されてくる。
【００２８】
まず図２の２１に示すように［子供向け番組］は、前記Ｈｅｘ  Ｃｏｄｅは０〜５であり、パレンタルレベル（ＰＬ）が０〜１である。［子供向け番組］にはＨｅｘ  Ｃｏｄｅ０、１で示される分類されない（Ｎｏｔ  Ｃｌａｓｓｉｆｉｅｄ）番組、Ｈｅｘ  Ｃｏｄｅ２、３で示される就学前（Ｐｒｅ  Ｓｃｈｏｏｌ）の子供向け番組そしてＨｅｘ  Ｃｏｄｅ４、５で示される子供（Ｃｈｉｌｄｒｅｎ）向け番組が含まれている。図２の右側には、パレンタルレベル範囲を示すグラフ２０が示されている。［子供向け番組］は実線２８で示される範囲である。
【００２９】
図２の２２は［一般向けの番組］（Ｇｅｎｅｒａｌ）である。Ｈｅｘ  Ｃｏｄｅ  ６〜７、ＰＬ１〜２である。グラフ２０における実線２９で示される範囲である。図２の２３は［親の指導要の番組］（Ｐａｒｅｎｔａｌ  Ｇｕｉｄａｎｃｅ  Ｒｅｃｏｍｍｅｎｄｅｄ）である。Ｈｅｘ  Ｃｏｄｅ８〜９、ＰＬ２〜３である。グラフ２０における実線３０で示される範囲である。図２の２４は［１５歳以上の番組］（  Ｍａｔｕｒｅ  Ａｕｄｉｅｎｃｅ１５＋）である。Ｈｅｘ  Ｃｏｄｅ  Ａ〜Ｂ、ＰＬ３〜４である。グラフ２０における実線３１で示される範囲である。図２の２５は［１５歳以上の成人向け番組］（  Ｍａｔｕｒｅ  Ａｄｕｌｔ  Ａｕｄｉｅｎｃｅ１５＋）である。Ｈｅｘ  Ｃｏｄｅ  Ｃ〜Ｄ、ＰＬ４〜５である。グラフ２０における実線３２で示される範囲である。図２の２６は［暴力シーンあり、１５歳以上の成人向け番組］（Ｍａｔｕｒｅ  Ａｕｄｉｅｎｃｅ，  Ｓｔｒｏｎｇ  ｖｉｏｌｅｎｃｅ１５＋）である。Ｈｅｘ  Ｃｏｄｅ  Ｅ、ＰＬ５〜６である。グラフ２０における実線３３で示す範囲である。図２の２７は［１８歳以上の番組］（Ｒｅｓｔｒｉｃｔｅｄ）である。Ｈｅｘ  Ｃｏｄｅ  Ｆ、ＰＬ３〜４である。グラフ２０における３４の実線で示す範囲である。以上が放送局から送られてくる番組内容識別データ信号の説明である。
【００３０】
図１に示す本発明からなる録画再生装置において、前記したように前記信号処理手段３からは映像信号、音声信号並びに前記番組内容識別データ信号を含むデータ信号が得られる。これらの信号はＰＬ（パレンタルレベル）検出手段１１に加えられる。ここで前記番組内容識別データ信号の前記Ｈｅｘ  Ｃｏｄｅで示される番組内容が検出できるので、前記関係からその番組のパレンタルレベル（ＰＬ）が検出される。
【００３１】
次に、前記視聴／録画／再生の制限したいＰＬを設定登録する方法について説明する。図１における１３は、ＰＬを設定登録するＰＬ（パレンタルレベル）登録手段である。そして、１７は、ＰＬ画面や後述するＰＷ（パスワード）画面及び録画予約画面を発生するＰＬ画面、ＰＷ画面並びに録画予約画面発生手段である。１８は、セレクター６の選択した映像信号にＰＬ画面、ＰＷ画面並びに録画予約画面発生手段１７の画面を重畳もしくは切り替えて表示する画面合成手段である。
【００３２】
ＰＬの設定登録の入力は前記リモコン１０にて行う。リモコン１０にはＰＬ設定登録釦があり、その釦を押せば前記リモコン受信手段９を介してコントローラ８に指令が入り、コントローラ８はＰＬ設定登録の画面を表示手段７上に出すように前記ＰＬ画面、ＰＷ画面並びに録画予約画面発生手段１７を起動する。表示手段７の画面には図３の３５から４２に示すように設定登録項目として［Ｎｏ  Ｂｌｏｃｋ］、［Ｂｌｏｃｋ  Ａｌｌ］、［Ｂｌｏｃｋ  Ｇ］、［Ｂｌｏｃｋ  ＰＧ］、［Ｂｌｏｃｋ  Ｍ］、［Ｂｌｏｃｋ  ＭＡ］、［Ｂｌｏｃｋ  ＡＶ］、［Ｂｌｏｃｋ  Ｒ］が表示される。表示手段７の画面上では、１例として示すならば図４の画面９０のようになる。図３の左に示す英語表示そのものである。各項目の番号は図３の番号に１００を加えたものになっている。この表示の意味を図３と合わせて説明する。
【００３３】
３５の［Ｎｏ  Ｂｌｏｃｋ］は全ての番組に対して視聴／録画の妨げ（ｂｌｏｃｋ）をしないことすなわち全ての番組に対して視聴／録画可能であることを意味する。図３の右側グラフ６０の点線４３に示すように全範囲で視聴／録画可能である。
【００３４】
３６の［Ｂｌｏｃｋ  Ａｌｌ］は全ての番組の視聴／録画を妨げることすなわち前記ＰＬ０〜１の子供向け番組を含め全ての番組の視聴／録画を制限することを意味する。（視聴／録画をできなくすることであるが後に説明するパスワードの入力で視聴が可能であるので制限とした。）グラフ６０の実線４４に示す全範囲の視聴／録画制限する。視聴／録画制限された状態がパレンタルロックである。
【００３５】
３７の［Ｂｌｏｃｋ  Ｇ］は図２で説明した［一般向けの番組］］（Ｇｅｎｅｒａｌ）以上番組の視聴／録画を制限することを意味する。グラフ６０の点線４６に示す範囲すなわちＰＬ１未満の番組（子供向け番組）は記録可能であるが実線４５に示す範囲すなわちＰＬ１以上の番組の視聴／録画を制限する。
【００３６】
３８の［Ｂｌｏｃｋ  ＰＧ］は図２で説明した［親の指導要の番組］（Ｐａｒｅｎｔａｌ  Ｇｕｉｄａｎｃｅ  Ｒｅｃｏｍｍｅｎｄｅｄ）以上の番組の視聴／録画を制限することを意味する。グラフ６０の点線４８に示す範囲すなわちＰＬ２未満の番組は記録可能であるが実線４７に示す範囲すなわちＰＬ２以上の番組の視聴／録画を制限する。
【００３７】
３９の［Ｂｌｏｃｋ  Ｍ］は図２で説明した［１５歳以上の番組］（  Ｍａｔｕｒｅ  Ａｕｄｉｅｎｃｅ１５＋）以上の番組の視聴／録画を制限することを意味する。グラフ６０の点線５０に示す範囲すなわちＰＬ３未満の番組は記録可能であるが実線４９に示す範囲すなわちＰＬ３以上の番組の視聴／録画を制限する。
【００３８】
４０の［Ｂｌｏｃｋ  ＭＡ］は図２で説明した［１５歳以上の成人向けの番組］（  Ｍａｔｕｒｅ  Ａｄｕｌｔ  Ａｕｄｉｅｎｃｅ１５＋）以上の番組の視聴／録画を制限することを意味する。グラフ６０の点線５２に示す範囲すなわちＰＬ４未満の番組は記録可能であるが実線５１に示す範囲すなわちＰＬ４以上の番組の視聴／録画を制限する。
【００３９】
４１の［Ｂｌｏｃｋ  ＡＶ］は図２で説明した［暴力シーンあり、１５歳以上の成人向け番組］（Ｍａｔｕｒｅ  Ａｕｄｉｅｎｃｅ，  Ｓｔｒｏｎｇ  ｖｉｏｌｅｎｃｅ１５＋）以上の番組の視聴／録画を制限することを意味する。グラフ６０の点線５４に示す範囲すなわちＰＬ５未満の番組は記録可能であるが実線５３に示す範囲すなわちＰＬ５以上の番組の視聴／録画を制限する。
【００４０】
４２の［Ｂｌｏｃｋ  Ｒ］は図２で説明した［１８歳以上の番組］（Ｒｅｓｔｒｉｃｔｅｄ）以上の番組の視聴／録画を制限することを意味する。グラフ６０の点線５４に示す範囲すなわちＰＬ６未満の番組は記録可能であるが実線５３に示す範囲すなわちＰＬ６以上の番組の視聴／録画を制限する。
【００４１】
以上説明した設定登録項目［Ｎｏ  Ｂｌｏｃｋ］、［Ｂｌｏｃｋ  Ａｌｌ］、［Ｂｌｏｃｋ  Ｇ］、［Ｂｌｏｃｋ  ＰＧ］、［Ｂｌｏｃｋ  Ｍ］、［Ｂｌｏｃｋ  ＭＡ］、［Ｂｌｏｃｋ  ＡＶ］、［Ｂｌｏｃｋ  Ｒ］が前記したように、リモコン１０のＰＬ設定登録釦を押すことによって、表示手段７の画面上に図４の画面９０のように表示される。次にリモコン１０には前記設定登録項目を選択する選択釦があるので、画面を見ながら指定したい設定登録項目を選び、例えば図４の画面９０にある［Ｂｌｏｃｋ  ＭＡ］を選んで、決定する場合は決定釦を押す。そうすると、この項目の色が変わり、これでＰＬの設定登録がなされたことになる。
【００４２】
図１の１３は前記決定された設定登録項目をメモリーするＰＬ（パレンタルレベル）登録手段である。ＰＬ登録手段１３はコントローラ８と接続され、リモコン１０からの指定により、前記設定登録項目の指定項目を登録する。例えば［Ｂｌｏｃｋ  ＡＶ］を登録すればＰＬ５以上の番組をブロックすることになる。前記したようにＰＬ検出手段１１には放送局からの前記番組内容識別データすなわち放送中の番組のＰＬが検出されているので、この検出ＰＬとＰＬ登録手段１３に登録されている設定登録項目と比較し、放送番組が登録ＰＬより大きい場合は、視聴／記録を制限する。図１の１２は前記登録ＰＬと番組ＰＬとを比較するＰＬ比較手段である。ＰＬ比較手段１２より得られる結果はコントローラ８に送られる。以上がＰＬの設定登録及び放送番組のＰＬの検出と登録ＰＬの比較等の説明である。
【００４３】
次に、視聴／録画制限（パレンタルロック）の解除について説明する。ＰＬの登録を行ったが視聴させたくない人が傍にいなく、全く個人的に視聴／録画をしたい場合に、視聴／録画制限（パレンタルロック）を解除することができる。図１の１４はＰＷ（パスワード）登録手段である。前記リモコン１０にはＰＷ登録釦があり、この釦を押すとリモコン受信手段９を介してコントローラ８に指令がはいるので、コントローラ８はＰＬ画面、ＰＷ画面並びに録画予約画面発生手段１７を起動して、図５のＴＶ画面概略図に示すようなパスワード入力画面の映像信号を発生する。この信号を画面合成手段１８に加え、画面合成手段１８から今まで出力されていたＴＶ放送番組の映像信号に代えて、前記図５に示すパスワード入力画面の映像信号を出力する。よって、ＴＶ画面には図５のパスワード入力画面がでる。図５のパスワード入力画面８０において、８１には「パスワードを入力ください。」と示しているので、リモコン１０にあるテンキーを用いて、自分だけの４桁の数字を入力する。そうすると前記ＰＷ（パスワード）登録手段１４に入力した数字がメモリーされる。そして、視聴制限解除は次のようにして行う。コントローラ８は前記したＰＬ比較手段１２から視聴しているＴＶ番組のＰＬが登録ＰＬより大きいという指令を受けると前記ＰＬ画面、ＰＷ画面並びに録画予約画面発生手段１７を起動して、前記したプロセスによって、ＴＶ画面に図５のパスワード入力画面８０を出す。これは視聴しようとしている番組は使用者が登録した登録ＰＬ以上の番組ですとお知らせしている状態で、周囲にこの番組を見せたくない人がいない場合には、個人的に番組の視聴をすることが可能になる。ＴＶ画面に出ている図５のパスワード入力画面８０に対して、前記した登録パスワードと同じ番号を入力すれば直ぐに図５のパスワード入力画面８０が消えて、パレンタルロックが解除され、視聴したい番組がＴＶ画面にでることになる。
【００４４】
次に録画予約について説明する。録画予約は周知のように録画したい番組のチャネル及び開始終了日時をあらかじめセットしておくと、自動的にその番組を記録してくれるレコーダー必須の機能である。予約の行い方には、いろいろあるが、最近はテレビ番組ガイドから予約したい番組を選び、それを即予約できる方法もとられている。録画予約基本はチャネル及び開始終了日時を設定することにある。図１の１５は前記チャネル及び開始終了日時をメモリーして、その内容をコントローラ８に伝達するための録画予約手段である。まず、録画予約の方法はリモコン１０を用いて、録画予約手段１５に録画したい番組のチャネル番号、録画開始終了時刻を入力する。リモコン１０には録画予約釦があり、これを押すと、コントローラ８を介して、ＰＬ画面、ＰＷ画面並びに録画予約画面発生手段１７を起動する。その結果表示手段７の画面上にはチャネル番号、録画開始終了時刻を入力する画面が現れる。画面を見ながらリモコン１０にて、録画したい番組のチャネル番号、録画開始終了日時を入力すると、コントローラ８を介して、録画予約手段１５にそれらがメモリーされる。
【００４５】
次に、前記録画予約が実行される時の記録される録画内容についてのべる。
【００４６】
「状況１」前記のようにして録画予約がなされ、本記録再生装置で放送番組を視聴してない場合、一般的には留守録の状態
この場合には予約時刻までは電源が入っていない状態（通常表示手段７も電源オフ）で、
予約時刻前に自動的に電源が入り、予約開始時刻になれば、予約番組が記録されるわけであるが  本発明では前記したように記録する番組のＰＬ（パレンタルレベル）をＰＬ検出手段１１にて検出し、ＰＬ登録手段１３に登録してある登録ＰＬとをＰＬ比較手段１２にて比較し、結果をコントローラ８に伝達する。コントローラ８ではこの結果をうけて、下記のように必要回路ブロックを制御する。
予約番組のＰＬが登録ＰＬ未満の時
たとえば、登録ＰＬが［Ｂｌｏｃｋ  ＭＡ］（ＰＬ４以上）であったとすれば、予約番組がＰＬ２の［親の指導要の番組］であれば、コントローラ８はＰＬ比較手段１２からの結果（図３グラフ６０の点線５２に示す範囲にある）から、ＨＤＤレコーダー４又はＤＶＤレコーダー５に記録指令を出し、信号処理手段３から得られる予約番組の映像信号、音声信号並びに番組内容識別データ信号を含むデータ信号を前記両レコーダーの指定のレコーダー（通常はＨＤＤレコーダー）に記録する。
予約番組のＰＬが登録ＰＬ以上の時
たとえば、登録ＰＬが［Ｂｌｏｃｋ  ＭＡ］（ＰＬ４以上）であったとすれば、予約番組がＰＬ４の［１５歳以上の成人向けの番組］であれば、コントローラ８はＰＬ比較手段１２からの結果（図３グラフ６０の実線５１に示す範囲にある）から、記録をしてはいけない番組であるので、この場合、前記（１）のように予約番組の映像信号、音声信号並びに番組内容識別データ信号を含むデータ信号を記録するのではなく、図６のＴＶ画面７０に示すような予約番組の概略内容を明示する画面の映像信号を記録する。
【００４７】
図１の１６は、パレンタルロックがかかり、予約番組が記録されないことを明示する前記ＴＶ画面７０の明示画面を発生する明示画面発生手段である。コントローラ８はＰＬ比較手段１２から予約番組が登録ＰＬ以上であることを伝達されると前記明示画面発生手段１６を起動し、明示画面発生手段１６から図６に示す明示画面の映像信号を発生する。図６における画面７０の７１は放送局名と番組のタイトルが示され、７２はパレンタルロック中で予約番組は記録されないことを示している。７３はこの番組のパレンタルレベルを示している。この画面が録画開始時刻から終了時刻まで記録される。音声は無音が記録されている。この時、記録は録画予約の設定時において設定された記録スピードでなされる。記録される内容は、前記図６に示す明示画面（静止画）である。この画面を録画予約時間内、
高画質モードのスピードで記録する必要性はない。設定が高画質モードである場合は設定を長時間モードに強制的に変更して記録をすれば記録媒体の消費を防ぐことができる。消費を防ぐ意味では録画が始まり、予約時間全部を記録するのでなく、開始から短時間だけ記録して、残りの時間は記録を停止しても同様な効果が得られる。
「状況２」既に録画予約がなされている。図１に示す本録画再生装置において、前記セレクター６のｃ端子を介して、信号処理手段３から映像信号、音声信号が表示手段７に加えられ、ＴＶ放送番組を視聴している状況にある。その状況において、前記録画予約が実行される場合の本発明からなる記録方式について説明する。この場合も前記したように記録する番組のＰＬ（パレンタルレベル）をＰＬ検出手段１１にて検出し、ＰＬ登録手段１３に登録してある登録ＰＬとをＰＬ比較手段１２にて比較し、結果をコントローラ８に伝達する。コントローラ８ではこの結果をうけて、下記のように必要回路ブロックを制御する。
（１）予約番組のＰＬが登録ＰＬ未満の時
たとえば、登録ＰＬが［Ｂｌｏｃｋ  ＭＡ］（ＰＬ４以上）であったとすれば、予約番組がＰＬ２の［親の指導要の番組］であれば、コントローラ８はＰＬ比較手段１２からの結果（図３グラフ６０の点線５２に示す範囲にある）から、ＨＤＤレコーダー４又はＤＶＤレコーダー５に記録指令を出し、信号処理手段３から得られる予約番組の映像信号、音声信号並びに番組内容識別データ信号を含むデータ信号を前記両レコーダーの指定のレコーダー（通常はＨＤＤレコーダー）に記録する。これは「状況１」の場合と同じであるが使用者は録画されている番組とは同じかもしくは別な番組を視聴している。別な番組の場合は図１に示したような構成では難しく、もう一個別なチューナー及び信号処理手段が必要である。本発明はこのような構成の場合も含んでいる。
予約番組のＰＬが登録ＰＬ以上の時
たとえば、登録ＰＬが［Ｂｌｏｃｋ  ＭＡ］（ＰＬ４以上）であったとすれば、予約番組がＰＬ４の［１５歳以上の成人向けの番組］であれば、コントローラ８はＰＬ比較手段１２からの結果（図３グラフ６０の実線５１に示す範囲にある）から、記録をしてはいけない番組であるので、この場合、前記（１）のように予約番組の映像信号、音声信号並びに番組内容識別データ信号を含むデータ信号を記録することはせず、「状況１」の（２）と同様図６に示す明示画面の映像信号が記録開始スタートから記録されることになるが同時に前記した図５に示したパスワード入力画面を前記プロセスによって、表示手段７に出し、使用者が登録したパスワードをリモコン１０にて、入力すれば、パレンタルロックが解除され、即画面は視聴中の画面にもどり、録画も前記図５に示す明示画面から予約番組の映像信号、音声信号並びに番組内容識別データ信号を含むデータ信号に変わり、所望の予約録画になる。
「状況３」図１に示す本録画再生装置において、前記セレクター６のｃ端子を介して、信号処理手段３から映像信号、音声信号が表示手段７に加えられ、ＴＶ放送番組を視聴している状況にある。その状況において、視聴中の番組のＰＬ（パレンタルレベル）が変化した場合の本発明からなる記録方式について説明する。この場合も前記したように記録する番組のＰＬをＰＬ検出手段１１にて検出し、ＰＬ登録手段１３に登録してある登録ＰＬとをＰＬ比較手段１２にて比較し、結果をコントローラ８に伝達する。コントローラ８ではこの結果をうけて、下記のように必要回路ブロックを制御する。
（１）視聴中の番組の変化したＰＬが登録ＰＬ未満の時
たとえば、登録ＰＬが［Ｂｌｏｃｋ  ＭＡ］（ＰＬ４以上）であったとすれば、視聴中の番組がＰＬ２の［親の指導要の番組］であれば、コントローラ８はＰＬ比較手段１２からの結果（図３グラフ６０の点線５２に示す範囲にある）から、信号処理手段３から得られる視聴中の番組の映像信号、音声信号並びに番組内容識別データ信号を含むデータ信号を、ＰＬが変化する前と同様に表示手段７に出力する。
（２）視聴中の番組の変化したＰＬが登録ＰＬ以上の時
たとえば、登録ＰＬが［Ｂｌｏｃｋ  ＭＡ］（ＰＬ４以上）であったとすれば、視聴中の番組がＰＬ４の［１５歳以上の成人向けの番組］であれば、コントローラ８はＰＬ比較手段１２からの結果（図３グラフ６０の実線５１に示す範囲にある）から、視聴してはいけない番組であるので、この場合、前記（１）のようにＰＬが変化する前と同様に表示手段７出力することはせず、前記した図５に示したパスワード入力画面を前記プロセスによって、表示手段７に出すと同時に、ＨＤＤレコーダー４又はＤＶＤレコーダー５に記録指令を出し、信号処理手段３から得られる視聴中の番組の映像信号、音声信号並びに番組内容識別データ信号を含むデータ信号を前記両レコーダーの指定のレコーダー（通常はＨＤＤレコーダー）に記録し、使用者が登録したパスワードをリモコン１０にて入力すれば、パレンタルロックが解除され、即時に画面は録画を開始した先頭からの再生画像に変わる。なお、コントローラ８はパスワードが入力されるまで再生操作を禁止する。
（３）前記（２）の状態からさらに視聴中の番組の変化したＰＬが登録ＰＬ以下の時
たとえば、登録ＰＬが［Ｂｌｏｃｋ  ＭＡ］（ＰＬ４以上）であったとすれば、視聴中の番組がＰＬ２の［親の指導要の番組］であれば、コントローラ８はＰＬ比較手段１２からの結果（図３グラフ６０の点線５２に示す範囲にある）から、前記両レコーダーの指定のレコーダーに記録停止指令を出す。その後、前記（２）の再生が満了して再生停止状態となると、信号処理手段３から得られる視聴中の番組の映像信号、音声信号並びに番組内容識別データ信号を含むデータ信号を、表示手段７に出力するとともに、前記両レコーダーの指定のレコーダーに録画した内容を消去する消去指令を出す。
（４）前記（２）の状態からさらに視聴中の番組の変化したＰＬが登録ＰＬ以上の時
再度（２）と同じプロセスを実行する。なお、再生停止後の消去のタイミングに関しては、即時消去しても良いし、一定時間後に消去する、もしくは別の操作のタイミングで消去するなど色々な方法があり、本発明はこのような構成の場合も含んでいる。
【００４８】
なお、「状況２」では、予約録画で明示画面を録画するとしたが、「状況３」と同様に通常通り録画をして、ＰＷ入力後再生を許可するようにしてもよい。
【産業上の利用可能性】
【００４９】
本発明にかかる記録再生装置は、録画予約において、予約番組の番組内容識別データ信号を検出し、番組のＰＬ（パレンタルレベル）を知り、登録ＰＬと比較することによって、登録ＰＬ以上の番組にたいして、その番組が記録制限されていることがわかるような明示画面を記録して、使用者に予約番組の記録不可の証拠をのこし、既存の再生手段を用い明示すること、および本装置でＴＶ番組を見ている時に、録画予約の番組が登録ＰＬ以上であっても、パレンタルロックを解除し、録画することが可能になること、およびＴＶ番組を見ている時に、視聴中の番組が登録ＰＬ以上であっても、パレンタルロックを解除し、所望の番組の先頭から再生して視聴することが可能となるので、利用範囲も広い。ＨＤＤレコーダー、ＤＶＤレコーダーばかりでなく、磁気テープレコーダー等にも利用でき、半導体メモリーレコーダー等にも利用できる。
【図面の簡単な説明】
【００５０】
【図１】本発明の実施の形態１における録画再生装置全体システムのブロック図
【図２】本発明におけるパレンタルレベル（ＰＬ）についての説明図
【図３】本発明における視聴／録画可能及び制限範囲についての説明図
【図４】本発明におけるパスワード入力画面の概略図
【図５】本発明におけるパレンタルロック中に記録する明示画面の概略図
【図６】予約番組の概略内容を明示する画面の概略図
【符号の説明】
【００５１】
１    アンテナ
２    チューナー
３    信号処理手段
４    ＨＤＤレコーダー
５    ＤＶＤレコーダー
６    セレクター
７    表示手段
８    コントローラ
９    リモコン受信手段
１０    リモコン
１１    ＰＬ（パレンタルレベル）検出手段
１２    ＰＬ比較手段
１３    ＰＬ登録手段
１４    ＰＷ（パスワード）登録手段
１５    録画予約手段
１６    明示画面発生手段
１７    ＰＬ画面、ＰＷ画面並びに録画予約画面発生手段
１００    録画再生装置
【図１】
2008042811.tif 000003
【図２】
2008042811.tif 000004
【図３】
2008042811.tif 000005
【図４】
2008042811.tif 000006
【図５】
2008042811.tif 000007
【図６】
2008042811.tif 000008